(57)【要約】【課題】シャワーホースをコンパクトに収納することができる、吐水ヘッドが引き出し可能に備えられた水栓装置を提供する。【解決手段】本発明は、シャワーホースに接続された吐水ヘッドが引き出し可能に備えられた水栓装置（６）であって、水栓装置ボックス（１６）と、吐水状態と止水状態とを切り替える水栓ユニット（２４）と、吐水ヘッド（１２）と、吐水ヘッドと水栓ユニットを連結するシャワーホースと、を有し、このシャワーホースは、収納時において、少なくとも一部が水栓装置ボックスの下側手前の隅に沿って横方向に延びる往路部（２６ａ）と、この往路部に連続し、水栓装置ボックスの下側手前の隅から上側奥の隅に向かって延びるＵターン部（２６ｂ）と、このＵターン部に連続し、少なくとも一部が水栓装置ボックスの上側奥の隅に沿って横方向に延びる復路部（２６ｃ）と、を有することを特徴としている。【選択図】図３
2008082102.tif 000002
【特許請求の範囲】
【請求項１】
洗面ボウルの上方に配置され、シャワーホースに接続された吐水ヘッドが引き出し可能に備えられた水栓装置であって、
上記洗面ボウルの上方に、上記洗面ボウルを横断するように配置された水栓装置ボックスと、
この水栓装置ボックス内に配置され、吐水状態と止水状態とを切り替える水栓ユニットと、
上記水栓装置ボックスに着脱可能に取り付けられた吐水ヘッドと、
上記水栓装置ボックス内に収納され、上記吐水ヘッドと上記水栓ユニットを連結するシャワーホースと、を有し、
このシャワーホースは、
上記水栓ユニットに接続され、上記シャワーホースの収納時において、少なくとも一部が上記水栓装置ボックスの下側手前の隅に沿って横方向に延びる往路部と、
この往路部に連続し、上記シャワーホースの収納時において、上記水栓装置ボックスの下側手前の隅から上側奥の隅に向かって延びるＵターン部と、
このＵターン部に連続し、上記シャワーホースの収納時において、少なくとも一部が上記水栓装置ボックスの上側奥の隅に沿って横方向に延び、先端に上記吐水ヘッドが取り付けられた復路部と、
を有することを特徴とする水栓装置。
【請求項２】
さらに、上記水栓装置ボックスの中に、上記往路部と上記復路部の間に延びるように配置され、上記シャワーホースの収納時において、上記往路部が上記水栓装置ボックスの下側手前の隅から遠ざかり、又は、上記復路部が上記水栓装置ボックスの上側奥の隅から遠ざかるのを防止する形態維持部を有する請求項１記載の水栓装置。
【請求項３】
上記水栓装置ボックスに水抜き穴が形成されている請求項１又は２記載の水栓装置。
【請求項４】
さらに、上記水栓装置ボックスの中に設けられ、上記シャワーホースを所定長さ引き出すと上記シャワーホースに接触し、上記シャワーホースのそれ以上の引き出しを阻止するストッパー部を有する請求項１乃至３の何れか１項に記載の水栓装置。
【請求項５】
上記復路部は、その先端が、下方斜め前方に向けて上記水栓装置ボックスの底面から突出するように延び、上記往路部は、上記復路部の手前側を通って上記復路部と交差するように、概ね水平方向に延びる請求項１乃至４の何れか１項に記載の水栓装置。
【請求項６】
さらに、上記往路部の、上記復路部と交差する部分に配置されたホースカバーを有する請求項５記載の水栓装置。
【請求項７】
洗面ボウルと、
請求項１乃至６の何れか１項に記載の水栓装置と、
を有することを特徴とする洗面化粧台。
【発明の詳細な説明】
【技術分野】
【０００１】
本発明は、水栓装置及びそれを備えた洗面化粧台に関し、特に、洗面ボウルの上方に配置され、シャワーホースに接続された吐水ヘッドが引き出し可能に備えられた水栓装置及びそれを備えた洗面化粧台に関する。
【背景技術】
【０００２】
現在、シャワーホースに接続された吐水ヘッドが引き出し可能に備えられた洗面化粧台が普及している。このような洗面化粧台は、洗面ボウルを使用した洗髪や、洗面ボウルの清掃を容易に行うことができること等、非常に利便性が高い。現在普及しているこのようなタイプの洗面化粧台の多くは、洗面ボウルの奥のデッキ面や壁面に吐水ヘッドを含む水栓装置が配置されている。このため、奥行きの大きな洗面ボウルを採用すると洗面台全体の奥行きが大きくなるという問題がある。
【０００３】
一方、特開２００１−６１６８５号公報には洗面化粧台が記載されており、この洗面化粧台では、洗面ボウルの上方の空間に吐水ヘッドを含む水栓装置を配置することによって上記の問題を解決している。
【０００４】
【特許文献１】特開２００１−６１６８５号公報
【発明の開示】
【発明が解決しようとする課題】
【０００５】
しかしながら、洗面ボウルの上方の空間に水栓装置を配置すると、通常、洗面ボウルの上方に配置される鏡や、鏡の背面の収納スペースが水栓装置によって浸食されてしまう。特に、シャワーホースに接続された吐水ヘッドが引き出し可能に備えられた水栓装置を洗面ボウルの上方に配置した場合には、水栓装置内にシャワーホースを収納する必要があるために水栓装置が大型化し、水栓装置によって浸食されるスペースが非常に大きくなるという問題がある。
【０００６】
従って、本発明は、シャワーホースをコンパクトに収納することができる、吐水ヘッドが引き出し可能に備えられた水栓装置及びそれを備えた洗面化粧台を提供することを目的としている。
【課題を解決するための手段】
【０００７】
上述した課題を解決するために、本発明は、洗面ボウルの上方に配置され、シャワーホースに接続された吐水ヘッドが引き出し可能に備えられた水栓装置であって、洗面ボウルの上方に、洗面ボウルを横断するように配置された水栓装置ボックスと、この水栓装置ボックス内に配置され、吐水状態と止水状態とを切り替える水栓ユニットと、水栓装置ボックスに着脱可能に取り付けられた吐水ヘッドと、水栓装置ボックス内に収納され、吐水ヘッドと水栓ユニットを連結するシャワーホースと、を有し、このシャワーホースは、水栓ユニットに接続され、シャワーホースの収納時において、少なくとも一部が水栓装置ボックスの下側手前の隅に沿って横方向に延びる往路部と、この往路部に連続し、シャワーホースの収納時において、水栓装置ボックスの下側手前の隅から上側奥の隅に向かって延びるＵターン部と、このＵターン部に連続し、シャワーホースの収納時において、少なくとも一部が水栓装置ボックスの上側奥の隅に沿って横方向に延び、先端に吐水ヘッドが取り付けられた復路部と、を有することを特徴としている。
【０００８】
このように構成された本発明においては、水栓ユニットに供給された水は、シャワーホース及び吐水ヘッドを通って吐水される。また、シャワーホースは、収納時において、少なくとも一部が水栓装置ボックスの下側手前の隅に沿って横方向に延びる往路部と、この往路部に連続し、水栓装置ボックスの下側手前の隅から上側奥の隅に向かって延びるＵターン部と、このＵターン部に連続し、少なくとも一部が水栓装置ボックスの上側奥の隅に沿って横方向に延びる復路部と、を有する。
【０００９】
このように構成された本発明によれば、シャワーホースが往路部と、Ｕターン部と、復路部とを有するので、シャワーホースを水栓装置ボックス内にコンパクトに収納することができる。
【００１０】
本発明において、好ましくは、さらに、水栓装置ボックスの中に、往路部と復路部の間に延びるように配置され、シャワーホースの収納時において、往路部が水栓装置ボックスの下側手前の隅から遠ざかり、又は、復路部が水栓装置ボックスの上側奥の隅から遠ざかるのを防止する形態維持部を有する。
【００１１】
このように構成された本発明によれば、形態維持部によりシャワーホースの形態が維持されるので、シャワーホースを収納する際に、シャワーホースが偶発的に不適切な形態で収納されるのを防止することができる。
【００１２】
本発明において、好ましくは、水栓装置ボックスに水抜き穴が形成されている。
このように構成された本発明によれば、水栓装置ボックス内に侵入した水滴等を水栓装置ボックスの下方の洗面ボウルに流下させると共に、水栓装置ボックス内で漏水が発生した場合には、それを使用者に速やかに認識させることができる。
【００１３】
本発明において、好ましくは、さらに、水栓装置ボックスの中に設けられ、シャワーホースを所定長さ引き出すとシャワーホースに接触し、シャワーホースのそれ以上の引き出しを阻止するストッパー部を有する。
【００１４】
このように構成された本発明によれば、シャワーホースの所定長さ以上の引き出しがストッパー部により阻止されるので、水栓装置ボックス内の部材に無理な力が作用したり、シャワーホースが収納不能になったりするのを防止することができる。
【００１５】
本発明において、好ましくは、復路部は、その先端が、下方斜め前方に向けて水栓装置ボックスの底面から突出するように延び、往路部は、復路部の手前側を通って復路部と交差するように、概ね水平方向に延びる。
【００１６】
このように構成された本発明によれば、往路部と交差する復路部を、無理なく水栓装置ボックスの外に突出させることができるので、水栓装置ボックスの奥行きを短縮することができる。
【００１７】
本発明において、好ましくは、さらに、往路部の、復路部と交差する部分に配置されたホースカバーを有する。
このように構成された本発明によれば、ホースカバーを有するので、往路部と復路部が交差する部分でシャワーホースが摩耗するのを防止することができる。
【００１８】
また、本発明の洗面化粧台は、洗面ボウルと、本発明の水栓装置と、を有することを特徴としている。
【発明の効果】
【００１９】
本発明の水栓装置及びそれを備えた洗面化粧台によれば、吐水ヘッドに接続されたシャワーホースをコンパクトに収納することができる。
【発明を実施するための最良の形態】
【００２０】
次に、添付図面を参照して、本発明の実施形態による洗面化粧台を説明する。
図１は本実施形態による洗面化粧台の全体を示す斜視図であり、図２は本実施形態による洗面化粧台の分解斜視図である。また、図３は本実施形態による洗面化粧台の水栓装置の内部を拡大して示す斜視図であり、図４は水栓装置の吐水ヘッドを引き出した状態を示す斜視図である。さらに、図５は、本実施形態による洗面化粧台の洗面ボウル及び水栓装置を背面側から見た斜視図である。
【００２１】
図１及び図２に示すように、本発明の実施形態による洗面化粧台１は、下部キャビネット２と、下部キャビネット２の上に載置された洗面ボウル４と、洗面ボウル４の上方に配置された水栓装置６と、水栓装置６の上方に配置された上部キャビネット８と、を有する。
【００２２】
下部キャビネット２は、背面が洗面化粧台１を設置する壁面に当接するように床面上に配置され、内部に物品を収納することができるように構成されている。
洗面ボウル４は、下部キャビネット２の上に載置され、洗面化粧台１の奥行きの大部分を洗面用のスペースとして活用できるよう大型に構成されている。なお、本実施形態においては、洗面ボウル４は樹脂製である。
【００２３】
水栓装置６は、洗面ボウル４の上方に、洗面ボウル４を横断するように配置されており、洗面化粧台１を幅方向に横断するように横長に構成されている。本実施形態においては、洗面化粧台１は幅約７５０ｃｍであり、この幅を横断するように配置された水栓装置６は、高さ約９ｃｍ、奥行き約９ｃｍの空間を占めている。また、水栓装置６の前面には、操作ハンドル１０が前方に突出するように設けられており、底面には、吐水ヘッド１２が下方斜め前方に向けて突出するように設けられている。
【００２４】
上部キャビネット８は、水栓装置６の上方に配置されており、その前面板には鏡８ａが取り付けられている。この前面板を開くことにより上部キャビネット８内部の収納棚（図示せず）に収納された物品を出し入れすることができるように構成されている。
【００２５】
本実施形態による洗面化粧台１は、操作ハンドル１０を左右に回動させることにより吐水ヘッド１２から吐出される湯水の温度を調節し、また、操作ハンドル１０を前後方向に回動させることにより湯水の吐水状態、止水状態を切り替え、吐出される湯水の流量を調節できるように構成されている。また、吐水ヘッド１２にはシャワーホース２６が接続されており、吐水ヘッド１２を引き出して洗髪や、洗面ボウル４の清掃に利用できるように構成されている（図４）。また、吐水ヘッド１２には切り替えスイッチ（図示せず）が設けられており、この切り替えスイッチにより直流吐水とシャワー吐水が切り替えられるようになっている。
【００２６】
次に、図３乃至図５を参照して、洗面化粧台１に備えられている水栓装置６の詳細を説明する。
図３乃至図５に示すように、水栓装置６は、後部筐体であるＬ形チャネル１４ａと、前部筐体である前面パネル１４ｂにより構成される水栓装置ボックス１６を有し、この水栓装置ボックス１６内に各種機能部が収納されている。この水栓装置ボックス１６の内部には、水栓取付金具１８と、形態維持部である第１門形金具２０と、第２門形金具２２が取り付けられている。さらに、水栓取付金具１８には水栓ユニット２４が取り付けられており、この水栓ユニット２４からシャワーホース２６が延び、その先端には吐水ヘッド１２が接続されている。また、第２門形金具２２とシャワーホース２６を連結するように戻しばね２８が取り付けられている。
【００２７】
さらに、水栓ユニット２４には雄ねじ部が形成されており、この雄ねじ部に前部筐体固定用部材である前面パネル固定用ナット３０を螺合させることにより、前面パネル１４ｂが固定されている。また、水栓ユニット２４の後部には、洗面ボウル４の背面側に配置された給水管３２ａ及び給湯管３２ｂが接続されている（図５）。さらに、水栓ユニット２４の後部には、水栓ユニット２４とシャワーホース２６を連結するＬ字管３２ｃが接続されている。
【００２８】
Ｌ形チャネル１４ａは、概ねＬ字形断面の部材であり、その鉛直方向に向けられた面が、洗面化粧台１を設置する壁面に５本のタッピングビス３４で固定されている。一方、Ｌ形チャネル１４ａの水平方向に向けられた面には、５つの水抜き穴１４ｃが形成されている。また、Ｌ形チャネル１４ａの水平方向に向けられた面の中央部には、下方斜め前方に向けられた面で構成された吐水ヘッド取付部１４ｄが形成され、この吐水ヘッド取付部１４ｄには、下方斜め前方に向くように吐水ヘッド１２が着脱自在に取り付けられている。
【００２９】
前面パネル１４ｂは平面のパネルであり、Ｌ形チャネル１４ａと組み合わせられて水栓装置ボックス１６を形成し、水栓ユニット２４等を覆うように構成されている。なお、本実施形態においては、水栓装置ボックス１６の天井面は、水栓装置６の上方に配置された上部キャビネット８の底面によって構成されている。また、前面パネル１４ｂには、水栓ユニット２４に取り付けられた操作ハンドル１０を突出させる円形の操作ハンドル穴１４ｅが形成されている。この操作ハンドル穴１４ｅから操作ハンドル１０及び水栓ユニット２４を突出させた状態で前面パネル固定用ナット３０を締めることにより、水栓ユニット２４と操作ハンドル穴１４ｅの間の隙間は、前面パネル固定用ナット３０によって覆われる。
【００３０】
水栓取付金具１８は概ね逆Ｌ字形に曲げられた金属板であり、図３において吐水ヘッド１２よりも右側に配置されている。水栓取付金具１８は、Ｌ形チャネル１４ａと共に箱形を形成するように、４本のビス１８ａによりＬ形チャネル１４ａに取り付けられている。これらのＬ形チャネル１４ａを取り付ける４本のビス１８ａは、何れも洗面化粧台１の前方に頭を向けて取り付けられているので、前面パネル１４ｂを取り外した状態で洗面化粧台１の前方からドライバを挿入することにより、取り付け、取り外すことができる。また、水栓取付金具１８には、水栓ユニット２４を受け入れるための円形穴が形成されており、水栓ユニット２４は、この円形穴を貫通した状態で水栓取付金具１８に取り付けられる。
【００３１】
第１門形金具２０は、概ね門形に曲げられた細長い金属板であり、図３において吐水ヘッド１２よりも左側に、水栓装置ボックス１６の横断面を区分するようにＬ形チャネル１４ａに取り付けられている。即ち、第１門形金具２０の一方の脚部はＬ形チャネル１４ａの鉛直面に取り付けられ、他方の脚部の下端はＬ形チャネル１４ａの水平面に取り付けられている。また、第２門形金具２２は、第１門形金具２０と同一形態の細長い金属板であり、第１門形金具２０と同様にＬ形チャネル１４ａの図３における左端に取り付けられている。
【００３２】
また、前面パネル１４ｂの裏面には、２つのスナップ突起２３が取り付けられている。これらのスナップ突起２３は、第１門形金具２０、第２門形金具２２に夫々設けられたスナップ穴２０ａ、２２ａに夫々着脱自在に受け入れられる。これにより、前面パネル１４ｂは、第１門形金具２０、第２門形金具２２に対して着脱自在にスナップ止めされる。
【００３３】
シャワーホース２６は、金属により被覆されたフレキシブルホースであり、その基端は水栓ユニット２４の流出口に接続され、先端は吐水ヘッド１２に接続されている。このシャワーホース２６は、水栓装置ボックス１６の内部に、横長のループを描くように配置されている。即ち、シャワーホース２６は、水栓ユニット２４から図３における左方向に延びる往路部２６ａと、この往路部２６ａに連続し、水栓装置ボックス１６の左端部でＵターンするＵターン部２６ｂと、このＵターン部２６ｂに連続し、右方向に延びる復路部２６ｃの３つの部分から構成される一続きのホースである。
【００３４】
往路部２６ａは、水栓ユニット２４の流出口から概ね水平方向に延びる部分であり、シャワーホースの収納時においては、少なくとも一部が水栓装置ボックス１６の下側手前の隅に沿って横方向に延びるように配置される。また、Ｕターン部２６ｂは、シャワーホースの収納時において、水栓装置ボックス１６の下側手前の隅から上側奥の隅に向かって延び、即ち、水栓装置ボックス１６の横断面の対角線に沿って延びるＵ字形の部分である。さらに、復路部２６ｃは、シャワーホースの収納時において、少なくとも一部が水栓装置ボックス１６の上側奥の隅に沿って横方向に延びる部分である。なお、本実施形態において使用されているシャワーホース２６の最小曲げ半径は約４０ｍｍであり、このシャワーホース２６を水栓装置ボックス１６の横断面の対角線方向に配置することにより、狭い空間でＵターンさせている。
【００３５】
また、復路部２６ｃの先端部は下方斜め前方に向かって延びている。この復路部２６ｃの先端部は、往路部２６ａの概ね水平方向に延びる基端部の奥側を通るように往路部２６ａと交差し、水栓装置ボックス１６底面の吐水ヘッド取付部１４ｄから突出している。復路部２６ｃの突出した先端には、吐水ヘッド１２が接続されている。
【００３６】
さらに、往路部２６ａの、復路部２６ｃと交差する部分には、螺旋状に形成された樹脂製のホースカバー２６ｄが取り付けられている。これにより、往路部２６ａと復路部２６ｃが接触した際の摩擦を低減すると共に、シャワーホース２６が摩耗して金属屑が発生するのを防止している。また、シャワーホース２６の往路部２６ａには、環状のスペーサ２６ｅが取り付けられており、往路部２６ａの基端部が前面パネル１４ｂに接触するのを防止している。
【００３７】
また、第１門形金具２０は、シャワーホースによって形成されるループの中に延びるように、即ち、シャワーホースの往路部２６ａと復路部２６ｃの間に延びるように取り付けられている。これにより、シャワーホース２６が水栓装置ボックス１６内に収納される際、シャワーホース２６の適切な形態が維持される。例えば、本実施形態において、シャワーホースの往路部２６ａが上側奥へ移動し、復路部２６ｃが下側手前へ移動してしまうと、シャワーホース２６の引き出しや収納が困難になる。従って、第１門形金具２０は、形態維持部として機能する。さらに、第１門形金具２０は、シャワーホース２６が図４に示すように引き出された際、シャワーホース２６と接触して、シャワーホース２６の所定長さ以上の引き出しを阻止する。従って、第１門形金具２０は、ストッパー部としても機能する。
【００３８】
戻しばね２８は、第２門形金具２２とシャワーホースの往路部２６ａを連結するように取り付けられたコイルバネである。戻しばね２８の基端は、第２門形金具２２に空けられた穴に掛けることにより、第２門形金具２２に取り付けられ、先端は、取付リング２８ａを介してシャワーホースの往路部２６ａに取り付けられている。戻しばね２８は、シャワーホース２６が図４に示すように引き出された際、シャワーホースの往路部２６ａを図４における左方向に引っ張るように構成されている。これにより、シャワーホース２６は水栓装置ボックス１６内へ引き込まれ、シャワーホース２６の収納が補助される。
【００３９】
次に、図６及び図７を参照して、水栓装置６に内蔵されている水栓ユニット２４の構成を説明する。図６は水栓ユニット２４及びその周辺部の断面図であり、図７は水栓ユニット２４及びそれに組み付けられる部品の分解斜視図である。
【００４０】
図６及び図７に示すように、水栓ユニット２４は、水栓ユニット本体３６と、この水栓ユニット本体３６内に配置された水栓カートリッジ３８と、水栓ユニット本体３６内に水栓カートリッジ３８を固定するカートリッジ押さえ４０と、回転規制部材４１と、を有する。
【００４１】
水栓ユニット本体３６は概ね円柱状の部材であり、その前方側には水栓カートリッジ３８を受け入れるための受入部３６ａが形成されている。また、水栓ユニット本体３６の後方側には、給水管３２ａ、給湯管３２ｂ、及びＬ字管３２ｃを夫々差し込んで接続するための３つの通水接続部３６ｂ、３６ｃ、３６ｄが形成されている（通水接続部３６ｃ、３６ｄのみ図示）。これらの通水接続部３６ｂ、３６ｃ、３６ｄは夫々受入部３６ａに連通している。
【００４２】
給水管３２ａ、給湯管３２ｂ、及びＬ字管３２ｃは、それらを通水接続部３６ｂ、３６ｃ、３６ｄに夫々差し込んだ状態で、押さえ金具３７ａをビス３７ｂで水栓ユニット本体３６に固定することにより、水栓ユニット本体３６に固定される。
【００４３】
カートリッジ押さえ４０は、円環状の部材であり、水栓ユニット本体３６の前端部に螺合されることにより、水栓カートリッジ３８の肩部を押圧して、水栓カートリッジ３８を水栓ユニット本体３６内に固定するように構成されている。
【００４４】
水栓カートリッジ３８は、給水管３２ａ及び給湯管３２ｂから流入した水及び湯を適宜混合してＬ字管３２ｃへ吐出させるシングルレバー水栓である。図６に示すように、水栓カートリッジ３８は、カートリッジ本体４２と、このカートリッジ本体４２の後端部に配置されたカートリッジ本体蓋４４ａと、を有する。また、カートリッジ本体４２の内部には、カートリッジ本体蓋４４ａに重ねて配置された固定ディスク４５と、固定ディスク４５に対してスライド可能に配置された可動ディスク４６と、この可動ディスク４６をスライドさせる操作レバー４８が配置されている。
【００４５】
カートリッジ本体４２は、段付きの概ね円筒状に形成されており、内部に固定ディスク４５、可動ディスク４６等が内蔵されている。
カートリッジ本体蓋４４ａは、カートリッジ本体４２の底面を形成する概ね円盤状の部材である。この、カートリッジ本体蓋４４ａには、水流入口４４ｂ、湯流入口４４ｃ、及び湯水混合水流出口４４ｄの３つの穴が形成されている（湯水混合水流出口４４ｄのみ図示）。これら３つの穴は、水栓ユニット本体３６に形成された３つの通水接続部３６ｂ、３６ｃ、３６ｄと夫々連通するように整合されている。
【００４６】
固定ディスク４５は、カートリッジ本体蓋４４ａと同様に、水流入口４５ｂ、湯流入口４５ｃ、及び湯水混合水流出口４５ｄの３つの穴が形成された概ね円盤状の部材であり、カートリッジ本体蓋４４ａと重なるように配置されている（湯水混合水流出口４５ｄのみ図示）。
【００４７】
可動ディスク４６は、概ね円盤状の部材であり、固定ディスク４５に対して摺動可能に配置されている。また、可動ディスク４６の裏側の固定ディスク４５と摺動する面には通水凹部４６ａが形成されており、表側の面には操作レバー４８の後端部を受け入れるための操作用凹部４６ｂが形成されている。可動ディスク４６は、操作レバー４８の操作により、図６における上下方向の平行移動、及びカートリッジ本体４２の中心軸線を中心とする回転移動ができるように構成されており、この移動により吐出される湯水の温度及び流量を調整することができる。
【００４８】
操作レバー４８は、カートリッジ本体４２の前部にピン４８ａを介して取り付けられており、ピン４８ａを中心とする回動、及びカートリッジ本体４２の中心軸線を中心とする回動が可能になっている。操作レバー４８の後端部は可動ディスク４６の操作用凹部４６ｂに受け入れられており、操作レバー４８を回動させることにより、可動ディスク４６を平行移動及び回転移動させることができるようになっている。また、操作レバー４８の前端部には、操作ハンドル１０が止めネジ１０ａにより取り付けられている。
【００４９】
回転規制部材４１は、カートリッジ押さえ４０の内側に、操作レバー４８を取り囲むように配置された部材であり、操作レバー４８のピン４８ａを中心とする回動を所定範囲に規制するように構成されている。
【００５０】
次に、水栓ユニット２４の取り付け構造を説明する。
水栓ユニット２４は、取付ナット５０により、水栓取付金具１８に固定されている。まず、水栓ユニット本体３６の前部外周には、雄ねじ部３６ｅが形成されている。図７に示すように、この雄ねじ部３６ｅには平面状に削られた部分が４箇所あり、一方、水栓取付金具１８には、この形状に合わせた取付穴１８ｂが形成されている。これにより、水栓ユニット本体３６の雄ねじ部３６ｅが取付穴１８ｂに挿入されると、水栓ユニット本体３６の水栓取付金具１８に対する回転が阻止される。水栓ユニット本体３６の雄ねじ部３６ｅを取付穴１８ｂに挿入した後、パッキン５２ａ、ワッシャー５２ｂを配置し、雄ねじ部３６ｅに取付ナット５０を螺合させる。これにより、水栓取付金具１８が雄ねじ部３６ｅの基端部と取付ナット５０の間に挟まれ、水栓ユニット本体３６が水栓取付金具１８に固定される。
【００５１】
さらに、水栓ユニット２４が水栓取付金具１８に取り付けられた後、前面パネル１４ｂの操作ハンドル穴１４ｅに操作ハンドル１０を通し、前面パネル１４ｂを所定の位置に配置する。この状態で、前面パネル１４ｂから突出している水栓ユニット本体３６の雄ねじ部３６ｅに、前面パネル固定用ナット３０を螺合させる。これにより、前面パネル１４ｂは、取付ナット５０と前面パネル固定用ナット３０の間に挟まれて固定される。
【００５２】
次に、図８乃至図１１を参照して、本発明の実施形態による洗面化粧台１に備えられた水栓装置６のメンテナンス手順を説明する。図８乃至図１１は、水栓装置６のメンテナンスを行うために、水栓ユニット２４を洗面化粧台１の前方に引き出す手順を示す斜視図である。
【００５３】
まず、図８に示すように、水栓ユニット本体３６の雄ねじ部３６ｅに螺合されている前面パネル固定用ナット３０を外し、前面パネル固定用ナット３０を操作ハンドル１０から抜き取る。同様に、前面パネル１４ｂを取り外して、前面パネル１４ｂを操作ハンドル１０から抜き取る。
【００５４】
次に、図９に示すように、水栓ユニット本体３６の雄ねじ部３６ｅに螺合されている取付ナット５０を外し、取付ナット５０、パッキン５２ａ、ワッシャー５２ｂを操作ハンドル１０から抜き取る。さらに、水栓取付金具１８をＬ形チャネル１４ａに固定している４本のビス１８ａを、洗面化粧台１の前方からドライバを挿入して取り外す。
【００５５】
次いで、図１０に示すように、水栓取付金具１８を取り外し、操作ハンドル１０から抜き取る。
さらに、図１１に示すように、水栓ユニット２４を前方に引き出す。これにより、水栓ユニット２４に接続されているシャワーホース２６、給水管３２ａ、給湯管３２ｂ等も洗面化粧台１の前方に引き出される。このように、本実施形態の洗面化粧台１においては、洗面ボウル４や上部キャビネット８を取り外すことなく、前面パネル１４ｂを取り外すだけで水栓装置６のメンテナンスを行うことができる。即ち、図１１に示すように、水栓ユニット２４が前方に引き出された状態においては、シャワーホース２６の清掃や交換、水栓ユニット２４と給水管３２ａ、給湯管３２ｂの接続部の保守、点検等のメンテナンスを容易に行うことができる。
【００５６】
一方、水栓カートリッジ３８を交換する場合には、前面パネル１４ｂが取り付けられたままの状態で、止めネジ１０ａを緩めて操作ハンドル１０を取り外す。これにより露出したカートリッジ押さえ４０を回転させて取り外すと、水栓カートリッジ３８を水栓ユニット本体３６から引き抜くことができる。このように、本実施形態の洗面化粧台においては、前面パネル１４ｂを取り外すことなく水栓カートリッジ３８を交換することができる。
【００５７】
次に、本発明の実施形態による洗面化粧台１の作用を説明する。
まず、図６に示すように、操作ハンドル１０が下方に下げられた状態においては、水栓カートリッジ３８内の固定ディスク４５の水流入口４５ｂ、湯流入口４５ｃは、可動ディスク４６により閉鎖され、止水状態となっている。次に、操作ハンドル１０を上方に回転させると、操作レバー４８が回動され、これにより、可動ディスク４６は図６における下方に押し下げられる。可動ディスク４６が下方に移動されると、給水管３２ａ及び給湯管３２ｂに夫々連通している水流入口４５ｂ及び湯流入口４５ｃと、可動ディスク４６の通水凹部４６ａが整合するようになり、水流入口４５ｂ、湯流入口４５ｃが開放される。これにより、給水管３２ａ及び給湯管３２ｂから供給された水及び湯が水栓カートリッジ３８内に流入する。水栓カートリッジ３８に流入した水及び湯は混合され、固定ディスク４５の湯水混合水流出口４５ｄを通って流出する。湯水混合水流出口４５ｄを通過した湯水は、通水接続部３６ｄ、Ｌ字管３２ｃ、シャワーホース２６、吐水ヘッド１２を通って吐出される。
【００５８】
また、操作ハンドル１０を上方に回転させるほど、固定ディスク４５の水流入口４５ｂ及び湯流入口４５ｃの開度が大きくなり、湯水の吐出流量が増大される。また、操作ハンドル１０を洗面化粧台１の右方向に回転させると、固定ディスク４５の水流入口４５ｂの開度が大きくなり、湯流入口４５ｃの開度が小さくなるので吐出される湯水の温度が低下される。逆に、操作ハンドル１０を左方向に回転させると、水流入口４５ｂの開度は小さく、湯流入口４５ｃの開度は大きくなるので吐出される湯水の温度は上昇する。
【００５９】
さらに、吐水ヘッド１２をシャワーヘッドとして使用する場合には、吐水ヘッド１２を下方に引いて水栓装置ボックス１６から取り外す。吐水ヘッド１２を取り外すと、水栓装置ボックス１６内に収納されたシャワーホース２６も外部に引き出される。これにより、シャワーホース２６は、図４に示す状態となる。シャワーホース２６が外部に引き出された状態では、水栓装置ボックス１６内でシャワーホース２６が描くループは小さくなり、これに伴ってシャワーホース２６に取り付けられた取付リング２８ａも図４における右方向に移動され、戻しばね２８が引き伸ばされる。また、シャワーホース２６が所定の長さ引き出されると、シャワーホース２６と第１門形金具２０が接触し、シャワーホース２６をそれ以上引き出すことができなくなる。
【００６０】
引き出したシャワーホース２６を、水栓装置ボックス１６内に収納する際には、引き伸ばされていた戻しばね２８が縮むことにより、取付リング２８ａが左方向に移動され、シャワーホース２６が水栓装置ボックス１６内に引き入れられる。また、第１門形金具２０は、シャワーホース２６が水栓装置ボックス１６内に引き込まれる際に、偶発的にシャワーホース２６が不適切な位置、形態に移動されるのを防止する。即ち、第１門形金具２０は、シャワーホース２６を収納する際に、シャワーホースの往路部２６ａが偶発的に上側奥へ移動されたり、復路部２６ｃが下側手前へ移動されたりするのを防止する。
【００６１】
また、シャワーホース２６に付着した状態で水栓装置ボックス１６内に侵入した水滴は、Ｌ形チャネル１４ａの上に落ち、水抜き穴１４ｃを通って水栓装置ボックス１６の外に排出される。水抜き穴１４ｃから排出された水は、水栓装置ボックス１６の下方の洗面ボウル４に流下する。さらに、水栓装置６内で、万一漏水が発生した場合にも、漏れた水は水抜き穴１４ｃから排出される。これにより、使用者は、漏水の発生を速やかに認識することができる。
【００６２】
本発明の実施形態の洗面化粧台によれば、シャワーホースが往路部と、Ｕターン部と、復路部とを有するので、ループ状に曲げられたシャワーホースを水栓装置ボックスの対角線の方向に配置して、シャワーホースを水栓装置ボックス内にコンパクトに収納することができる。
【００６３】
また、本実施形態の洗面化粧台によれば、第１門形金具によりシャワーホースの形態が維持されるので、シャワーホースを収納する際に、シャワーホースが偶発的に不適切な形態で収納されるのを防止することができる。
【００６４】
さらに、本実施形態の洗面化粧台によれば、水栓装置ボックスに水抜き穴が形成されているので、水栓装置ボックス内に侵入した水滴等を水栓装置ボックスの下方の洗面ボウルに流下させると共に、水栓装置ボックス内で漏水が発生した場合には、それを使用者に速やかに認識させることができる。
【００６５】
また、本実施形態の洗面化粧台によれば、シャワーホースの所定長さ以上の引き出しが第１門形金具により阻止されるので、水栓装置ボックス内の部材に無理な力が作用したり、シャワーホースが収納不能になったりするのを防止することができる。
【００６６】
さらに、本実施形態の洗面化粧台によれば、復路部は、その先端が、下方斜め前方に向けて水栓装置ボックスの底面から突出するように延び、往路部は、復路部の手前側を通って復路部と交差するように、概ね水平方向に延びているので、復路部を無理なく水栓装置ボックスの外に突出させることができ、水栓装置ボックスの奥行きを短縮することが可能になる。
【００６７】
また、本実施形態の洗面化粧台によれば、往路部の、復路部と交差する部分にホースカバーが配置されているので、往路部と復路部が交差する部分でシャワーホースが摩耗するのを防止することができる。
【図面の簡単な説明】
【００６８】
【図１】本発明の実施形態による洗面化粧台の全体を示す斜視図である。
【図２】本発明の実施形態による洗面化粧台の分解斜視図である。
【図３】本発明の実施形態による洗面化粧台の水栓装置の内部を拡大して示す斜視図である。
【図４】本発明の実施形態による洗面化粧台の水栓装置の吐水ヘッドを引き出した状態を示す斜視図である。
【図５】本発明の実施形態による洗面化粧台の洗面ボウル及び水栓装置を背面側から見た斜視図である。
【図６】水栓ユニット及びその周辺部の断面図である。
【図７】水栓ユニット及びそれに組み付けられる部品の分解斜視図である。
【図８】水栓装置のメンテナンスを行うために、水栓ユニットを洗面化粧台の前方に引き出す手順を示す斜視図である。
【図９】水栓装置のメンテナンスを行うために、水栓ユニットを洗面化粧台の前方に引き出す手順を示す斜視図である。
【図１０】水栓装置のメンテナンスを行うために、水栓ユニットを洗面化粧台の前方に引き出す手順を示す斜視図である。
【図１１】水栓装置のメンテナンスを行うために、水栓ユニットを洗面化粧台の前方に引き出す手順を示す斜視図である。
【符号の説明】
【００６９】
１    本発明の実施形態による洗面化粧台
２    下部キャビネット
４    洗面ボウル
６    水栓装置
８    上部キャビネット
８ａ    鏡
１０    操作ハンドル
１０ａ  止めネジ
１２    吐水ヘッド
１４ａ  Ｌ形チャネル
１４ｂ  前面パネル
１４ｃ  水抜き穴
１４ｄ  吐水ヘッド取付部
１４ｅ  操作ハンドル穴
１６    水栓装置ボックス
１８    水栓取付金具
１８ａ  ビス
１８ｂ  取付穴
２０    第１門形金具
２０ａ  スナップ穴
２２    第２門形金具
２２ａ  スナップ穴
２３    スナップ突起
２４    水栓ユニット
２６    シャワーホース
２６ａ  往路部
２６ｂ  Ｕターン部
２６ｃ  復路部
２６ｄ  ホースカバー
２６ｅ  スペーサ
２８    戻しばね
２８ａ  取付リング
３０    前面パネル固定用ナット
３２ａ  給水管
３２ｂ  給湯管
３２ｃ  Ｌ字管
３４    タッピングビス
３６    水栓ユニット本体
３６ａ  受入部
３６ｂ、３６ｃ、３６ｄ  通水接続部
３６ｅ  雄ねじ部
３８    水栓カートリッジ
４０    カートリッジ押さえ
４１    回転規制部材
４４ａ  カートリッジ本体蓋
４４ｂ  水流入口
４４ｃ  湯流入口
４４ｄ  湯水混合水流出口
４５    固定ディスク
４５ｂ  水流入口
４５ｃ  湯流入口
４５ｄ  湯水混合水流出口
４６    可動ディスク
４６ａ  通水凹部
４６ｂ  操作用凹部
４８    操作レバー
５０    取付ナット
５２ａ  パッキン
５２ｂ  ワッシャー
【図１】
2008082102.tif 000003
【図２】
2008082102.tif 000004
【図３】
2008082102.tif 000005
【図４】
2008082102.tif 000006
【図５】
2008082102.tif 000007
【図６】
2008082102.tif 000008
【図７】
2008082102.tif 000009
【図８】
2008082102.tif 000010
【図９】
2008082102.tif 000011
【図１０】
2008082102.tif 000012
【図１１】
2008082102.tif 000013